(57)【要約】【課題】建物開口部に、スクリーンを、適度のテンションを付与した状態で弛みなく簡単に取り付けることができるスクリーン装置を提供する。【解決手段】矩形枠状に配置される４つの取付枠杆１０ａ−１０ｄと、矩形のスクリーン１１の４つの辺を該取付枠杆に固定するための４つの固定部材１２ａ−１２ｄとを有し、前記取付枠杆は、前記固定部材の嵌合部２０が嵌合する嵌合溝１３と、該固定部材の係合部１５が係合する係合受部１４とを有し、前記嵌合部２０は、硬質の本体部分２２と、弾性変形可能な弾性部分２３とを有し、前記本体部分２２に、前記スクリーン１１の端部を係止させるための係止溝２４と、前記係合部１５と、係脱操作のための操作部２１とが形成され、前記弾性部分２３は、前記嵌合溝１３の内側に向けて凸形に湾曲し、弾性力によりスクリーン１１にテンションを付与する機能と、先端の自由端２３ｂと前記取付枠杆の側壁との間にスクリーン１１の端部を挟持する機能とを有する。【選択図】図２
2015113566.tif 000002
【特許請求の範囲】
【請求項１】
建物開口部に矩形枠状に配置された上下及び左右の４つの取付枠杆と、矩形のスクリーンと、該スクリーンの上下及び左右の４つの辺を前記取付枠杆に固定するための上下及び左右の４つの固定部材とを有し、
前記取付枠杆は、前記固定部材の嵌合部が嵌合する嵌合溝と、該固定部材の係合部が係合する係合受部とを有し、
前記固定部材は、前記嵌合部及び係合部と、係脱操作のための操作部とを有し、
前記嵌合部は、硬質の本体部分と、弾性変形可能な弾性部分とを有していて、前記本体部分に、前記スクリーンの端部を係止させるための係止溝が形成されると共に、前記係合部が形成され、また、前記弾性部分は、前記嵌合溝の内側に向けて凸形に湾曲した形に形成されていて、基端部が前記本体部分に連結されると共に、先端部が自由端として前記取付枠杆の側壁内面に弾力的に当接し、弾性力により前記スクリーンにテンションを付与する機能と、該スクリーンの端部を前記自由端と前記取付枠杆の側壁との間に挟持する機能とを有し、
前記操作部は、前記嵌合部の本体部分に連設されていて、該操作部で前記固定部材を変位させて前記係合部と係合受部との係合を解除することにより、前記固定部材を前記取付枠杆から取り外し可能にする、
ことを特徴とするスクリーン装置。
【請求項２】
前記上下及び左右の４つの取付枠杆は、前記嵌合溝及び係合受部に関して互いに同一構成を有し、前記上下及び左右の４つの固定部材は、前記嵌合部と係合部及び操作部に関して互いに同一構成を有することを特徴とする請求項１に記載のスクリーン装置。
【請求項３】
前記取付枠杆の前記嵌合溝が、室内側の第１側壁と室外側の第２側壁とを有し、前記第１側壁に前記係合受部が形成され、前記第２側壁の内面に、前記固定部材の弾性部分の前記自由端が当接していることを特徴とする請求項１又は２に記載のスクリーン装置。
【請求項４】
前記固定部材の本体部分は、前記取付枠杆の第１側壁に対向する第１側面と、前記第２側壁に対向する第２側面とを有し、前記第１側面に前記係止溝が形成されていて、該第１側面の、前記係止溝より前記取付枠杆の外側寄りの位置に前記係合部が形成されると共に、該第１側面の、前記係止溝より前記取付枠杆の内側寄りの位置に前記弾性部分の基端が連結され、該弾性部分の先端の前記自由端は、前記第２側面に対向する位置まで延びていることを特徴とする請求項３に記載のスクリーン装置。
【請求項５】
前記取付枠杆の係合受部は、前記第１側壁の先端部に形成されたコ字形の溝であり、前記固定部材の係合部は、前記溝内に嵌合可能な突壁状をしていることを特徴とする請求項３又は４に記載のスクリーン装置。
【請求項６】
前記スクリーンの上下又は左右の２つの辺には係止体が取り付けられ、該係止体を上下又は左右の固定部材の前記係止溝に係止させると共に、スクリーンの端部を該上下又は左右の固定部材の前記弾性部分に当接させることにより、該スクリーンの上下又は左右の２つの辺が前記上下又は左右の固定部材を介して前記上下又は左右の取付枠杆に固定され、前記スクリーンの左右又は上下の２つの辺は、左右又は上下の固定部材に設けられた前記弾性部分の自由端と、左右又は上下の取付枠杆の前記側壁との間に弾力的に挟持されていることを特徴とする請求項１から５の何れかに記載のスクリーン装置。
【発明の詳細な説明】
【技術分野】
【０００１】
本発明は、防虫用、遮光用、断熱用、目隠し用、花粉の侵入防止用等のためのスクリーンを、建物開口部に、適度のテンションを付与した状態で弛みなく取り付けることができるスクリーン装置に関するものである。
【背景技術】
【０００２】
建物開口部に固定した矩形のスクリーン取付枠内に、防虫用、遮光用、断熱用、目隠し用、花粉の侵入防止用等のためのスクリーンを取り付けたスクリーン装置は、従来より各種構成のものが知られている。この種のスクリーン装置は、スクリーンの清掃やメンテナンス等を行う場合に該スクリーンを取り外したり、スクリーンが破損したとき新しいスクリーンと交換したりすることができるように、前記スクリーンがスクリーン取付枠に着脱自在に張設されていることが望ましい。
【０００３】
特許文献１−５には、建物開口部に固定したスクリーン取付枠にスクリーンを着脱自在に張設したスクリーン装置が開示されている。これらのスクリーン装置は、前記スクリーンの上下及び左右の４辺のうち少なくとも上下又は左右の２辺に、杆状の固定部材を取り付け、この固定部材をスクリーン取付枠の取付溝内に押し込んで係止させることにより、前記２辺を前記スクリーン取付枠に固定し、前記固定部材が取り付けられていない他の２辺は、前記スクリーン取付枠の取付溝内に挿入した状態で、該取付溝内に、前記固定部材とは異なる杆状の挟持部材を弾力的に押し込むことにより、該挟持部材と前記スクリーン取付枠との間に挟持させ、それによって前記スクリーンを前記スクリーン取付枠に張設している。そして、前記スクリーンをスクリーン取付枠から取り外すときは、前記固定部材と挟持部材とを該スクリーン取付枠から取り外すものである。
【０００４】
しかし、前記公知のスクリーン装置は、前記スクリーンがスクリーン取付枠の寸法に合った大きさに正確に裁断されている必要があり、そうでない場合には、該スクリーンの端部に前記固定部材を取り付けたあとの微少な寸法張設ができないため、該スクリーンを前記スクリーン取付枠に弛みや皺が生じないように張設するのは非常に難しい。このため、前記スクリーン装置を建物開口部に新たに取り付ける場合は勿論のこと、既設のスクリーン装置において、破損したスクリーンを新しいスクリーンと交換するような場合にも、該スクリーンを前記スクリーン取付枠に弛みや皺が生じないように張設するのは非常に困難であった。
【先行技術文献】
【特許文献】
【０００５】
【特許文献１】特開２００７−１７７５６６号公報
【特許文献２】特開２００８−２５３４０号公報
【特許文献３】特開２００８−５０８０５号公報
【特許文献４】特開２００９−２１５８６０号公報
【特許文献５】特開２０１０−７０９７７号公報
【発明の概要】
【発明が解決しようとする課題】
【０００６】
本発明の技術的課題は、建物開口部に、スクリーンを、適度のテンションを付与した状態で弛みなく簡単に取り付けることができるスクリーン装置を提供することにある。
【課題を解決するための手段】
【０００７】
前記課題を解決するため本発明によれば、建物開口部に矩形枠状に配置された上下及び左右の４つの取付枠杆と、矩形のスクリーンと、該スクリーンの上下及び左右の４つの辺を前記取付枠杆に固定するための上下及び左右の４つの固定部材とを有し、前記取付枠杆は、前記固定部材の嵌合部が嵌合する嵌合溝と、該固定部材の係合部が係合する係合受部とを有し、前記固定部材は、前記嵌合部及び係合部と、係脱操作のための操作部とを有し、前記嵌合部は、硬質の本体部分と、弾性変形可能な弾性部分とを有していて、前記本体部分に、前記スクリーンの端部を係止させるための係止溝が形成されると共に、前記係合部が形成され、また、前記弾性部分は、前記嵌合溝の内側に向けて凸形に湾曲した形に形成されていて、基端部が前記本体部分に連結されると共に、先端部が自由端として前記取付枠杆の側壁内面に弾力的に当接し、弾性力により前記スクリーンにテンションを付与する機能と、該スクリーンの端部を前記自由端と前記取付枠杆の側壁との間に挟持する機能とを有し、前記操作部は、前記嵌合部の本体部分に連設されていて、該操作部で前記固定部材を変位させて前記係合部と係合受部との係合を解除することにより、前記固定部材を前記取付枠杆から取り外し可能にすることを特徴とするスクリーン装置が提供される。
【０００８】
本発明において、前記上下及び左右の４つの取付枠杆は、前記嵌合溝及び係合受部に関して互いに同一構成を有し、前記上下及び左右の４つの固定部材も、前記嵌合部と係合部及び操作部に関して互いに同一構成を有することが望ましい。
また、本発明において好ましくは、前記取付枠杆の前記嵌合溝が、室内側の第１側壁と室外側の第２側壁とを有し、前記第１側壁に前記係合受部が形成され、前記第２側壁の内面に、前記固定部材の弾性部分の前記自由端が当接していることである。
【０００９】
更に、本発明において、前記固定部材の本体部分は、前記取付枠杆の第１側壁に対向する第１側面と、前記第２側壁に対向する第２側面とを有し、前記第１側面に前記係止溝が形成されていて、該第１側面の、前記係止溝より前記取付枠杆の外側寄りの位置に前記係合部が形成されると共に、該第１側面の、前記係止溝より前記取付枠杆の内側寄りの位置に前記弾性部分の基端が連結され、該弾性部分の先端の前記自由端は、前記第２側面に対向する位置まで延びていても良い。
前記取付枠杆の係合受部は、前記第１側壁の先端部に形成されたコ字形の溝であり、前記固定部材の係合部は、前記溝内に嵌合可能な突壁状をしていることが望ましい。
【００１０】
本発明の好ましい具体的な構成態様においては、前記スクリーンの上下又は左右の２つの辺に係止体が取り付けられ、該係止体を上下又は左右の固定部材の前記係止溝に係止させると共に、スクリーンの端部を該上下又は左右の固定部材の前記弾性部分に当接させることにより、該スクリーンの上下又は左右の２つの辺が前記上下又は左右の固定部材を介して前記上下又は左右の取付枠杆に固定され、前記スクリーンの左右又は上下の２つの辺は、左右又は上下の固定部材に設けられた前記弾性部分の自由端と、左右又は上下の取付枠杆の前記側壁との間に弾力的に挟持されている。
【発明の効果】
【００１１】
本発明は、弾性部分を有する固定部材を使用してスクリーンを取付枠杆に張設することにより、前記弾性部分による弾性力が該スクリーンに上下方向又は左右方向に作用するように構成したので、該スクリーンを、適度のテンションが付与された状態で弛みや皺が生じないように簡単に張設することができる。
【図面の簡単な説明】
【００１２】
【図１】本発明に係る第１実施形態のスクリーン装置をすべり出し窓に取り付けた状態を示す縦断面図である。
【図２】図１の水平横断面図である。
【図３】図２のすべり出し窓を開放した状態の水平横断面図である。
【図４】スクリーンと固定部材との関係を示す斜視図である。
【図５】図２の要部拡大図であって、スクリーンの右辺を固定部材で取付枠杆に固定した状態を示すものである。
【図６】図５と同様の要部拡大図であって、取付枠杆から固定部材を取り外す途中の状態を示すものである。
【図７】図５と同様の要部拡大図であって、取付枠杆から固定部材を取り外す直前の状態を示すものである。
【図８】図１の要部拡大図であって、スクリーンの下辺を固定部材で取付枠杆に取り付けた状態を示すものである。
【図９】図８と同様の要部拡大図であって、取付枠杆から固定部材を取り外す途中の状態を示すものである。
【図１０】図８と同様の要部拡大図であって、取付枠杆から固定部材を取り外す直前の状態を示すものである。
【図１１】本発明に係る第２実施形態のスクリーン装置をすべり出し窓に取り付けた状態を示す縦断面図である。
【図１２】図１１の水平横断面図である。
【発明を実施するための形態】
【００１３】
図１−図１０は本発明に係るスクリーン装置の第１実施形態を示すもので、図１−図３は、該スクリーン装置１をすべり出し窓に取り付けた例を示すものである。
【００１４】
前記すべり出し窓は、矩形枠状のサッシ３に取り付けられた障子２を、支持軸を中心に室外側に押し出して開く窓のことで、図示した実施形態は縦すべり出し窓である。このすべり出し窓は、建物開口部に取り付けられた前記サッシ３の下枠部材３ｂに、２つの回転レバー４，５の基端部をそれぞれピン４ａ，５ａで回転自在に連結すると共に、該回転レバー４，５の先端部を前記障子２に回転自在に連結し、一方の回転レバー４の中間部に、駆動レバー６の先端部をピン６ａで回転自在に連結し、該駆動レバー６の基端部は、ウオームホイール７から延びるアーム７ａの先端にピン６ｂで回転自在に連結し、該ウオームホイール７を、ハンドル８の回転操作で不図示のウオームを介して駆動回転することにより、前記障子２を、前記駆動レバー６と回転レバー４，５とによって室外側に押し出して開く開位置（図３参照）と、該障子２をサッシ３内に収めて閉じる閉位置（図２参照）とに、変位可能としたものである。
【００１５】
このようなすべり出し窓は、その構成自体周知のもので、本発明の要旨とも直接関係がないので、このすべり出し窓に関するこれ以上の具体的な説明は省略する。
【００１６】
前記スクリーン装置１は、前記サッシ３に、前記障子２の室内側に位置するように取り付けられていて、以下のように構成されている。
即ち、前記スクリーン装置１は、前記サッシ３の上下及び左右の枠部材３ａ，３ｂ，３ｃ，３ｄと別体に形成されて該枠部材に固定された上下及び左右の４つの取付枠杆１０ａ，１０ｂ，１０ｃ，１０ｄと、必要な寸法に裁断された矩形のスクリーン１１と、該スクリーン１１の上下及び左右の４つの辺を前記取付枠杆１０ａ，１０ｂ，１０ｃ，１０ｄに個々に固定する、上下及び左右の４つの固定部材１２ａ，１２ｂ，１２ｃ，１２ｄとを有している。前記取付枠杆１０ａ，１０ｂ，１０ｃ，１０ｄは、アルミニウム合金などの金属により形成されている。
【００１７】
なお、以下の説明において、前記４つの取付枠杆１０ａ，１０ｂ，１０ｃ，１０ｄ、及び前記４つの固定部材１２ａ，１２ｂ，１２ｃ，１２ｄを、それぞれ個々に区別して表現する必要があるとき以外は、それらを単に「取付枠杆１０」及び「固定部材１２」と呼ぶこととする。
【００１８】
前記４つの取付枠杆１０ａ，１０ｂ，１０ｃ，１０ｄは、互いに同一の断面形状を有する杆状の部材で、図５−図１０に右側の取付枠杆１０ｃと下側の取付枠杆１０ｄとで代表的に示すように、前記固定部材１２が嵌合する嵌合溝１３を有し、該嵌合溝１３は、相対する室内側の第１側壁１３ａ及び室外側の第２側壁１３ｂと、底壁１３ｃとを有している。前記第１側壁１３ａの先端には、該先端を、前記嵌合溝１３の内部で内側（底壁１３ｃ側）に向けて折り返した形に形成することにより、前記固定部材１２の係合部１５が係合するコ字形の係合受部１４が形成されている。そして、前記４つの取付枠杆１０が、前記第１側壁１３ａを建物の室内側に位置させると共に、上下２つの取付枠杆１０ａ，１０ｂの前記嵌合溝１３の開口部同士、及び、左右２つの取付枠杆１０ｃ，１０ｄの前記嵌合溝１３の開口部同士を、互いに向かい合わせにした姿勢で、前記底壁１３ｃを、前記サッシ３の上下及び左右の枠部材３ａ，３ｂ，３ｃ，３ｄにビス１６で固定することにより、全体として矩形枠状に配設されている。
【００１９】
また、前記４つの固定部材１２ａ，１２ｂ，１２ｃ，１２ｄは、互いに同一の断面形状を有する杆状の部材で、図５−図１０に右側の固定部材１２ｃと下側の固定部材１２ｄとで代表的に示すように、前記取付枠杆１０の嵌合溝１３内に嵌合する嵌合部２０と、前端が前記取付枠杆１０から外部に突出する係脱操作のための操作部２１とを一体に有している。
【００２０】
前記嵌合部２０は、矩形の中空杆状をした硬質の本体部分２２と、前記取付枠杆１０の内側（底壁１３ｃ側）に向けて凸形に湾曲する形（略Ｕ字状）に形成された弾性変形可能な弾性部分２３とを有し、該弾性部分２３の基端部２３ａが前記本体部分２２に連結され、該弾性部分２３の先端部は、自由端２３ｂとして前記取付枠杆１０の第２側壁１３ｂの内面に弾力的に当接している（図５、図８参照）。
【００２１】
前記本体部分２２は、前記取付枠杆１０の第１側壁１３ａに対向する第１側面２２ａと、前記第２側壁１３ｂに対向する第２側面２２ｂとを有している。前記第１側面２２ａには、前記スクリーン１１の端部の係止体２５を係止させるための係止溝２４が、該本体部分２２の全長にわたって延在するように形成されていて、該第１側面２２ａの、前記係止溝２４より前記取付枠杆１０の外部寄りの位置には、前記取付枠杆１０の係合受部１４に係合する突壁状の前記係合部１５が形成され、前記係止溝２４より前記取付枠杆１０の内部寄りの位置には、前記弾性部分２３の基端部２３ａが連結され、該弾性部分２３の先端の前記自由端２３ｂは、前記第２側面２２ｂに対向する位置まで延びている。
【００２２】
前記操作部２１は、弧状に湾曲した断面形状を有し、その基端部が、前記嵌合部２０の本体部分２２における前記第２側面２２ｂの端部に連なっており、該操作部２１で前記固定部材１２を前記取付枠杆１０の内部に押し込んで前記係合部１５と係合受部１４との係合を解除する（図６、図９参照）と共に、前記Ｕ字状の弾性部分２３を固定部材１２の横幅が狭まる方向、即ち、該弾性部分２３の自由端２３ｂが前記本体部分２２の第２側面２２ｂに近接する方向に変形させる（図７、図１０参照）ことにより、前記固定部材１２を前記取付枠杆１０の嵌合溝１３からその開口を通じて取り外すものである。
【００２３】
従って、前記固定部材１２は、前記弾性部分２３を変形させないで自由にした時の横幅が、前記取付枠杆１０の嵌合溝１３の内幅、即ち、前記第１側壁１３ａの内側面と第２側壁１３ｂの内側面との間隔より大きくなるように形成されている。
【００２４】
前記固定部材１２は、全体を合成樹脂で形成しても良いが、前記本体部分２２をアルミニウム合金等の金属で形成し、前記弾性部分２３を合成樹脂で形成して該本体部分２２に連結した構成であっても良い。
【００２５】
また、前記スクリーン１１は、防虫用、遮光用、断熱用、目隠し用、花粉の侵入防止用などの目的のため、その目的にあった構成及び機能を有するものが使用されており、該スクリーン１１の４つの辺のうち、左右の相対する２辺には、前記係止体２５が取り付けられ、上下の相対する２辺には、このような係止体２５が取り付けられていない。
【００２６】
前記係止体２５は、互いに噛み合う小片を２つの布テープの縁に取り付けた一対の噛合帯からなるファスナーの、一方の噛合帯を前記スクリーン１１の端部に取り付けることにより形成することができるが、それ以外のものであっても良く、例えば、布製又は合成樹脂製のテープに、断続する突起や連続する突条等を設けたものであっても良い。
【００２７】
前記スクリーン１１を前記取付枠杆１０に張設するため、該スクリーン１１の前記係止体２５が取り付けられた左右の２辺には、左右の前記固定部材１２ｃ，１２ｄが予め取り付けられている。その取り付けは、前記スクリーン１１の端部を、前記固定部材１２ｃ，１２ｄの長さ方向の一端から前記係止溝２４内に挿入し、前記係止体２５を該係止溝２４の内縁に係止させると共に、該スクリーン１１の端部を前記Ｕ字形の弾性部分２３の外周に巻き掛けた状態に当接させることにより行われる。
【００２８】
そして、前記左右の固定部材１２ｃ，１２ｄの嵌合部２０を、図７及び図６に示すように、前記弾性部分２３側から前記左右の取付枠杆１０ｃ，１０ｄの嵌合溝１３の内部に順次押し込み、図５に示すように、前記係合部１５を係合受部１４に係合させると共に、前記弾性部分２３の自由端２３ｂをスクリーン１１を介して前記固定部材１２ｃ，１２ｄの第１側壁１３ａ内面に弾力的に当接させることにより、前記スクリーン１１の左右の２辺が、前記左右の取付枠杆１０ｃ，１０ｄに固定されている。
【００２９】
このとき、前記スクリーン１１は、左右方向の寸法を、左右の固定部材１２ｃ，１２ｄの弾性部分２３を互いに引き寄せて変形させる程度の寸法に形成しておくことにより、該弾性部分２３が復元しようとするときの弾性力で該スクリーン１１が左右両方向に引張されるため、該スクリーン１１は、適度のテンションが付与されると共に、弛みや皺が生じない状態に張設されることになる。
【００３０】
一方、前記スクリーン１１の、係止体２５が取り付けられていない上下の２辺は、図１０及び図９に示すように、上下の取付枠杆１０ａ，１０ｂの嵌合溝１３の内部にそれぞれ挿入し、その状態で該嵌合溝１３の内部に、上下の固定部材１２ａ，１２ｂを弾性部分２３側から順次挿入し、図８に示すように、該弾性部分２３の自由端２３ｂと前記取付枠杆１０ａ，１０ｂの第２側壁１３ｂとの間に前記スクリーン１１の端部を弾力的に挟持させることにより、前記上下の取付枠杆１０ａ，１０ｂに固定されている。
【００３１】
前記構成を有するスクリーン装置１において、前記スクリーン１１を、清掃やメンテナンスを行う場合や、新しいスクリーン１１と交換する場合などに、前記取付枠杆１０ａ，１０ｂ，１０ｃ，１０ｄから取り外すときは、先ず、図８−図１０に下側の取付枠杆１０ｂ及び固定部材１２ｂで代表的に示すように、操作部２１を操作することによって上下の固定部材１２ａ，１２ｂを上下の取付枠杆１０ａ，１０ｂから取り外したあと、図５−図７に右側の取付枠杆１０ｃ及び固定部材１２ｃで代表的に示すように、操作部２１を操作することによって左右の固定部材１２ｃ，１２ｄを左右の取付枠杆１０ｃ，１０ｄから取り外す。そして、清掃やメンテナンスの終了後や、新たなスクリーン１１との交換後に、前記スクリーン１１を、取り外す時と逆の手順によって前記取付枠杆１０ａ，１０ｂ，１０ｃ，１０ｄに取り付ければ良い。
【００３２】
この場合、前記スクリーン１１を、清掃やメンテナンスを行うために取付枠杆１０から取り外して再び取り付ける場合には、該スクリーン１１の左右方向の寸法が変わっていないので、該スクリーン１１を、適度のテンションが付与されて弛みや皺のない最初の状態に取り付けることができるが、新たなスクリーン１１と交換する場合には、前述したように、該スクリーン１１の左右方向（横幅方向）の寸法を、左右の固定部材１２ｃ，１２ｄの弾性部分２３を互いに引き寄せて変形させる程度の寸法に形成しておくことにより、該弾性部分２３が復元しようとするときの弾性力で該スクリーン１１が左右両方向に引張されるため、該スクリーン１１を、適度のテンションが付与されて弛みや皺のない状態に簡単に張設することができる。
【００３３】
また、前記４つの取付枠杆１０ａ，１０ｂ，１０ｃ，１０ｄを、互いに同一の断面形状を有するように形成すると共に、前記４つの固定部材１２ａ，１２ｂ，１２ｃ，１２ｄも同様に、互いに同一の断面形状を有するように形成することにより、前記取付枠杆１０及び固定部材１２を各々１種類だけ用意し、その長さを調整するだけで、上下及び左右の取付枠杆１０ａ，１０ｂ，１０ｃ，１０ｄと、上下及び左右の固定部材１２ａ，１２ｂ，１２ｃ，１２ｄとを得ることができるので、部品数が少なくなると同時に、部品管理も容易になる。
【００３４】
しかし、前記４つの取付枠杆１０ａ，１０ｂ，１０ｃ，１０ｄを前記サッシ３に固定する場合、例えば上下の取付枠杆１０ａ，１０ｂと左右の取付枠杆１０ｃ，１０ｄとに、前記嵌合溝１３及び係合受部１４以外に、突壁や凹部といったような部分あるいは部品を互いに異なる形で設ける必要があるような場合には、前記４つの取付枠杆１０ａ，１０ｂ，１０ｃ，１０ｄを、少なくとも前記嵌合溝１３及び係合受部１４に関して互いに同一構成を有するように形成すれば良い。前記固定部材１２ａ，１２ｂ，１２ｃ，１２ｄについても同様に、少なくとも前記嵌合部２０と係合部１５及び操作部２１に関して互いに同一構成を有するように形成すれば良い。
【００３５】
図１１及び図１２には、本発明に係るスクリーン装置の第２実施形態が示されている。この第２実施形態のスクリーン装置が前記第１実施形態のスクリーン装置と異なる点は、上下及び左右の取付枠杆１０ａ，１０ｂ，１０ｃ，１０ｄが、サッシ３の上下及び左右の枠部材３ａ，３ｂ，３ｃ，３ｄとそれぞれ一体に形成されていることである。スクリーン装置をこのように構成することにより、前記取付枠杆１０ａ，１０ｂ，１０ｃ，１０ｄをサッシ３にビスで取り付ける必要がなくなるため、その取り付けのための手間を省くことができると共に、意匠性も向上する。
この第２実施形態の前記以外の構成は第１実施形態と実質的に同じであるから、主要な同一構成部分に第１実施形態の場合と同じ符号を付し、その説明は省略する。
【００３６】
なお、前記各実施形態では、前記スクリーン１１の左右の２辺にそれぞれ係止体２５を取り付けて、該左右の２辺を左右の固定部材１２ｃ，１２ｄに連結し、上下の２辺は、前記係止体２５を取り付けることなく、従って上下の固定部材１２ａ，１２ｂに連結していないが、それとは逆に、前記スクリーン１１の上下の２辺に係止体２５を取り付けて、該上下の２辺を上下の固定部材１２ａ，１２ｂに連結し、左右の２辺は、前記係止体２５を取り付けずに、左右の固定部材１２ｃ，１２ｄに連結しない構成とすることもできる。後者の場合、前記スクリーン１１の上下の２辺が、前記上下の固定部材１２ａ，１２ｂを介して上下の取付枠杆１０ａ，１０ｂに固定され、左右の２辺は、左右の固定部材１２ｃ，１２ｄの弾性部分２３の自由端２３ｂと、左右の取付枠杆１０ｃ，１０ｄの第１側壁１３ａとの間に挟持されることになる。
【００３７】
また、前記各実施形態では、取付枠杆１０の係合受部１４をコ字形に形成し、固定部材１２の係合部１５を突壁状に形成しているが、前記係合受部１４と係合部１５とは、互いに係脱させることができるものであればその他の形態であっても良く、例えば、取付枠杆１０及び固定部材１２の一方と他方とに形成した凸部と凹部とを係脱させるものや、鉤形をした突起同士を係脱させるものなどを用いることもできる。
【符号の説明】
【００３８】
１０ａ，１０ｂ，１０ｃ，１０ｄ      取付枠杆
１１      スクリーン
１２ａ，１２ｂ，１２ｃ，１２ｄ      固定部材
１３      嵌合溝
１３ａ      第１側壁
１３ｂ      第２側壁
１４      係合受部
１５      係合部
２０      嵌合部
２１      操作部
２２      本体部分
２２ａ      第１側面
２２ｂ      第２側面
２３      弾性部分
２３ａ      基端部
２３ｂ      自由端
２４      係止溝
２５      係止体
【図１】
2015113566.tif 000003
【図２】
2015113566.tif 000004
【図３】
2015113566.tif 000005
【図４】
2015113566.tif 000006
【図５】
2015113566.tif 000007
【図６】
2015113566.tif 000008
【図７】
2015113566.tif 000009
【図８】
2015113566.tif 000010
【図９】
2015113566.tif 000011
【図１０】
2015113566.tif 000012
【図１１】
2015113566.tif 000013
【図１２】
2015113566.tif 000014